(57)【要約】【課題】番組提供者側の意図に沿って見所でチャプターを登録することができる録画装置および録画方法を提供する。【解決手段】実施形態にかかる録画装置は、記録管理部と、決定部と、第１抽出部と、第２抽出部と、画像検出部と、登録部と、を備える。前記記録管理部は、連続するフレーム画像を含む映像データの記録装置に対する記録処理を行う。前記決定部は、前記記録処理を行う映像データの一部である所定部分を決定する。前記第１抽出部は、前記決定した所定部分に含まれるフレーム画像の画像特徴量を抽出する。前記第２抽出部は、前記記録処理を行う映像データに含まれるフレーム画像の画像特徴量を抽出する。前記画像検出部は、前記第２抽出部により画像特徴量を抽出したフレーム画像のうち、前記第１抽出部により抽出した画像特徴量と一致または近似する画像特徴量が抽出されたフレーム画像を検出する。前記登録部は、前記検出したフレーム画像に従って、前記記録処理を行う映像データのチャプターを登録する。【選択図】図２
2013132025.tif 000002
【特許請求の範囲】
【請求項１】
連続するフレーム画像を含む映像データの記録装置に対する記録処理を行う記録管理部と、
前記記録処理を行う映像データの一部である所定部分を決定する決定部と、
前記決定した所定部分に含まれるフレーム画像の画像特徴量を抽出する第１抽出部と、
前記記録処理を行う映像データに含まれるフレーム画像の画像特徴量を抽出する第２抽出部と、
前記第２抽出部により画像特徴量を抽出したフレーム画像のうち、前記第１抽出部により抽出した画像特徴量と一致または近似する画像特徴量が抽出されたフレーム画像を検出する画像検出部と、
前記検出したフレーム画像に従って、前記記録処理を行う映像データのチャプターを登録する登録部と、
を備えた録画装置。
【請求項２】
前記決定部は、前記記録処理を行う映像データのうち番組のダイジェスト部分を前記所定部分として決定する請求項１に記載の録画装置。
【請求項３】
前記登録部は、前記記録処理を行う映像データにおける前記検出したフレーム画像の位置を、前記チャプターとして登録する請求項１または２に記載の録画装置。
【請求項４】
前記登録部は、前記記録処理を行う映像データおける前記検出したフレーム画像から所定時間だけ遡ったフレーム画像の位置を、前記チャプターとして登録する請求項１または２に記載の録画装置。
【請求項５】
前記登録部は、前記記録処理を行う映像データにおける前記検出したフレーム画像を含む番組本編の冒頭部分を、前記チャプターとして登録する請求項１または２に記載の録画装置。
【請求項６】
前記第１抽出部は、前記検出された所定部分に含まれるフレーム画像のうちシーンチェンジ位置のフレーム画像または所定間隔毎のフレーム画像の画像特徴量を抽出する請求項１から５のいずれか一に記載の録画装置。
【請求項７】
録画装置で実行される録画方法であって、
前記録画装置は、制御部を備え、
前記制御部は、
記録管理部が、連続するフレーム画像を含む映像データの記録装置に対する記録処理を行う工程と、
決定部が、前記記録処理を行う映像データの一部である所定部分を決定する工程と、
第１抽出部が、前記検出した所定部分に含まれるフレーム画像の画像特徴量を抽出する工程と、
第２抽出部が、前記記録処理を行う映像データに含まれるフレーム画像の画像特徴量を抽出する工程と、
画像検出部が、前記第２抽出部により画像特徴量を抽出したフレーム画像のうち、前記第１抽出部により抽出した画像特徴量と一致または近似する画像特徴量が抽出されたフレーム画像を検出する工程と、
登録部が、前記検出したフレーム画像に従って、前記記録処理を行う映像データのチャプターを登録する工程と、
を含む録画方法。
【発明の詳細な説明】
【技術分野】
【０００１】
本発明の実施形態は、録画装置および録画方法に関する。
【背景技術】
【０００２】
多数のチューナを搭載し比較的大きな録画容量を持つ記録装置を内蔵または外部接続した番組の記録再生装置においては、複数の番組について同時に録画を行うことができ、録画した多数の番組の中から所望の番組を選択して再生することが可能である。
【先行技術文献】
【特許文献】
【０００３】
【特許文献１】特開２００９−１１８２０４号公報
【発明の概要】
【発明が解決しようとする課題】
【０００４】
ところで、録画された番組の再生においては、視聴者が番組を視聴する際に、番組に含まれるシーンの中から所望のシーンを容易にかつ効率的に視聴できることが求められている。しかしながら、従来の記録再生装置には、自動的に選択したシーンを番組のチャプターとして登録する機能は搭載されているが、シーンチェンジ位置のシーンやＣＭと本編との区切りのシーンを番組のチャプターとして登録していたため、必ずしも番組の見所でチャプターが正確に登録されるわけではない、という課題がある。
【０００５】
本発明は、上記に鑑みてなされたものであって、ユーザの手を煩わすことなく、番組提供者側の意図した番組の見所でチャプターを登録することができる録画装置および録画方法を提供することを目的とする。
【課題を解決するための手段】
【０００６】
実施形態にかかる録画装置は、記録管理部と、決定部と、第１抽出部と、第２抽出部と、画像検出部と、登録部と、を備える。前記記録管理部は、連続するフレーム画像を含む映像データの記録装置に対する記録処理を行う。前記決定部は、前記記録処理を行う映像データの一部である所定部分を決定する。前記第１抽出部は、前記決定した所定部分に含まれるフレーム画像の画像特徴量を抽出する。前記第２抽出部は、前記記録処理を行う映像データに含まれるフレーム画像の画像特徴量を抽出する。前記画像検出部は、前記第２抽出部により画像特徴量を抽出したフレーム画像のうち、前記第１抽出部により抽出した画像特徴量と一致または近似する画像特徴量が抽出されたフレーム画像を検出する。前記登録部は、前記検出したフレーム画像に従って、前記記録処理を行う映像データのチャプターを登録する。
【図面の簡単な説明】
【０００７】
【図１】図１は、本実施形態にかかる記録再生装置の概観斜視図である。
【図２】図２は、本実施形態にかかる記録再生装置の構成を示したブロック図である。
【図３】図３は、本実施形態にかかるリモコンの概観図である。
【図４】図４は、特徴量抽出部およびチャプター登録部の機能構成を示すブロック図である。
【図５】図５は、映像データの記録処理を行う番組に関連する番組にチャプターを登録する処理の一例を示す図である。
【図６】図６は、映像データの記録処理を行う番組にチャプターを登録する処理の一例を示す図である。
【図７】図７は、画像特徴量の抽出処理の動作手順の例を示したフローチャートである。
【図８】図８は、チャプターの登録処理の動作手順の例を示したフローチャートである。
【発明を実施するための形態】
【０００８】
以下、本実施形態について図面を参照して説明する。図１は、本実施形態にかかる記録再生装置の概観斜視図である。記録再生装置１（録画装置）は、デジタル放送を受信し、受信した放送番組の記録および再生が可能であって、画面に放送番組の映像を表示するデジタルテレビジョン等の記録再生装置である。なお、本実施形態では、デジタルテレビジョン等の記録再生装置について説明するが、デジタル放送を受信し、受信した放送番組の記録や再生が可能なＤＶＤ（Digital  Versatile  Disc）レコーダやBlu-ray（登録商標）レコーダ等であっても良い。
【０００９】
記録再生装置１は、筐体２と、筐体２を支持するスタンド３と、を備えている。筐体２は、前面側に液晶パネルやＰＤＰ（Plasma  Display  Panel）等の表示部４が配置され、表示部４の背面側に表示部４を支持するフレーム（図示しない）が配置されている。フレームには、表示部４を駆動するための回路基板や電源回路（いずれも図示しない）が設置されている。
【００１０】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示部４の前面カバー６の窓部５ａの内側の表示部分である。
【００１１】
リモートコントローラ（以下、リモコンと称する）８は、赤外線あるいはBluetooth（登録商標）等による無線通信を利用して、記録再生装置１の操作受信部へ操作信号を送る操作機器である。
【００１２】
図２は、本実施形態にかかる記録再生装置の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送、あるいはケーブルテレビ放送の放送信号の中から所望のチャンネルの放送信号を選局する。チューナ１２は、複数のチューナユニットから構成されており、同時に複数の放送を受信することができる。アンテナ端子１２ａは、アンテナ１０が接続される端子である。
【００１３】
復調器１３は、各々のデジタル放送の変調方式に対応して復調する。地上デジタル放送の信号は、ＯＦＤＭ（Orthogonal  Frequency  Division  Multiplexing）復調で、衛星デジタル放送の信号は、ＰＳＫ（Phase  Shift  Keying）復調でＭＰＥＧ（Moving  Picture  Experts  Group）−ＴＳ（Transport  Stream）に復調され、デコード処理部１４に出力される。また、復調器１３は、送受信部３１を介してインターネット等のネットワーク３２から受信したＩＰ放送を復調する。
【００１４】
デコード処理部１４は、ＭＰＥＧデコーダ、映像音声データ等の機能を有する。デコード処理部１４は、復調器１３から送信されたＭＰＥＧ−ＴＳデータをセクション化して、番組情報のデータをデコードする。映像ＰＥＳ（Packetized  Elementary  Stream）に対しては映像ＥＳ（Elementary  Stream）化、音声ＰＥＳに対しては音声ＥＳ化を行って映像データおよび音声データをデコードする。
【００１５】
また、デコード処理部１４は、記録装置１５から入力された映像データおよび音声データをデコードする。さらに、デコード処理部１４は、外部記憶装置３０から入力された映像データおよび音声データをデコードする機能を有する。
【００１６】
記録装置１５は、ＨＤＤ（Hard  Disk  Drive）、ＳＳＤ（Solid  State  Drive）、またはＯＤＤ（Optical  Disc  Drive）等を含む記録手段である。記録装置１５には、情報を記録および再生するためのエンコーダとデコーダが搭載されており、該エンコーダとデコーダを介してＭＰＥＧ−ＴＳデータが記録装置１５の記録再生形態に適したフォーマットに変調され、ＨＤＤ、ＳＳＤ、またはＯＤＤに記録され、また再生される。再生データは、デコード処理部１４でデコードされる。
【００１７】
重畳処理部１６は、デコード処理部１４からの映像データと、バス２１を介して転送されるデータ放送やＧＵＩ（Graphical  User  Interface）制御部３５によるウィンドウ描画をプレーン管理して、映像データとの重ね合わせを行い、映像処理部１７に送る。
【００１８】
映像処理部１７は、表示装置１８で表示可能なフォーマット（画素数、フレーム周波数、走査方式）に変換したり、表示色を任意に調整したりして、表示装置１８に出力して映像を画面７に表示させる。
【００１９】
音声処理部１９は、デコード処理部１４から伝送された音声データを、スピーカ２０またはイヤホンで再生可能なアナログ音声信号に変換した後、スピーカ２０またはイヤホンに出力して音声を再生させる。なお、表示装置１８やスピーカ２０は記録再生装置１の外部にあっても良い。また、記録再生装置１と別の筐体に収められていても良い。
【００２０】
記録再生装置１は、上記した受信動作を含むその全ての動作を制御部２２によって統括的に制御されている。制御部２２は、ＭＰＵ（Micro  Processing  Unit）２３が搭載されており、バス２１を介して接続された各構成要素を制御する。
【００２１】
ＲＡＭ（Random  Access  Memory）２４は、制御部２２のデータ処理に必要な各種データを格納するリードライト用のメモリであり、映像データ、フレーム画像の情報等を格納するバッファメモリとして動作する。ＲＯＭ（Read  Only  Memory）２５は、読み出し専用のメモリであり、ＭＰＵ２３が実行する制御プログラムなどを格納している。
【００２２】
フラッシュメモリ２６は、書き換え可能であり、電源を切ってもデータが消えない不揮発性のメモリである。フラッシュメモリ２６は、録画予約情報、録画番組情報等を記憶する機能を有する。
【００２３】
操作受信部２７は、操作機器２８から送信される操作信号を受信し、制御部２２に転送する。操作機器２８は、例えば、赤外線あるいはBluetooth（登録商標）等による無線通信を利用したリモコン８、有線式または無線式キーボード等であり、操作信号を送出する。操作受信部２７は、これらリモコン８やキーボード等から操作信号を受信する。
【００２４】
外部インターフェース２９は、ＵＳＢ（Universal  Serial  Bus）、ＩＥＥＥ１３９４（Institute  of  Electrical  and  Electronic  Engineers  1394）、ｅＳＡＴＡ（external  Serial  ATA  (AT  Attachment)）、ＳＤ（Secure  Digital）（登録商標）メモリカード、メモリースティック（登録商標）、あるいはＨＤＭＩ（High  Definition  Multimedia  Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ等を含む外部記憶装置３０が接続される。外部記憶装置端子２９ａは、外部記憶装置３０が接続される端子である。
【００２５】
記録再生装置１は、外部インターフェース２９を介して外部記憶装置３０に放送番組を記録することができる。利用者は、記録装置１５または外部記憶装置３０のどちらに放送番組を記録するかを選択することができる。また、記録再生装置１は、外部記憶装置３０に記録された映像または音声情報を再生することができる。
【００２６】
記録再生装置１は、送受信部３１を介してインターネット等のネットワーク３２に接続されている。これにより、記録再生装置１は、ネットワーク３２上にあるサーバ３３等の機器と送受信部３１を介して情報伝送を行うことができる。ネットワーク端子３１ａは、ネットワーク３２が接続される端子である。
【００２７】
図２において、制御部２２は、記録管理部３４、ＧＵＩ制御部３５、特徴量抽出部３６、チャプター登録部３７の機能を有する。これらの機能は、制御部２２のＭＰＵ２３が実行するアプリケーションであり、通常はＲＯＭ２５に格納されており、使用時にはＭＰＵ２３によって読み出されて実行される。
【００２８】
記録管理部３４は、利用者の要求に基づいて設定された放送番組の予約情報を管理する。また、記録管理部３４は、デコード処理部１４によりデコードされた、連続するフレーム画像を含む映像データの記録装置１５に対する記録処理を行う。例えば、記録管理部３４は、予約された番組の映像データの記録処理、または視聴中の番組の映像データの記録処理を行う。さらに、記録管理部３４は、記録装置１５に映像データが記録された番組を管理する。具体的には、記録管理部３４は、映像データが記録された番組（以下、録画番組とする）の番組情報（放送局名、放送日時、番組名、放送概要、出演者、番組詳細、番組分類等）、記録時間、録画番組が再生済みか未再生かの区別等を、フラッシュメモリ２６または記録装置１５に記録し、録画番組の情報を管理する。記録管理部３４は、録画番組のリストの生成、録画番組の再生や削除、編集等の処理を実行する。
【００２９】
ＧＵＩ制御部３５は、ＧＵＩデータを生成し、この生成されたＧＵＩデータはバス２１を介して重畳処理部１６へ送信される。重畳処理部１６に送付されたＧＵＩデータは、例えば放送番組の映像データに重畳処理されたり、あるいはＧＵＩ単独画面として処理されたりして、映像処理部１７へ伝送される。
【００３０】
特徴量抽出部３６は、記録管理部３４により記録処理を行う映像データの一部である所定部分を決定する。そして、特徴量抽出部３６は、決定した所定部分に含まれるフレーム画像の画像特徴量を抽出して、抽出した画像特徴量をフラッシュメモリ２６に記憶させる。特徴量抽出部３６は、この動作手順を番組の記録処理が終了するまで繰り返す。
【００３１】
チャプター登録部３７は、記録管理部３４により記録処理を行う映像データに含まれるフレーム画像の画像特徴量を抽出し、画像特徴量を抽出したフレーム画像のうち、フラッシュメモリ２６に記憶した画像特徴量と一致または近似する画像特徴量が抽出されたフレーム画像を検出して、当該検出したフレーム画像に従って、記録処理を行う映像データのチャプターを登録する。特徴量抽出部３６は、この動作手順を映像データの記録処理が終了するまで繰り返す。
【００３２】
制御部２２は、チャプター登録部３７により登録されたチャプターのサムネイル映像を生成し、ＧＵＩ制御部３５を介して重畳処理部１６へ送信する。利用者がリモコン８のチャプター表示用のボタンを押下すると、画面７にサムネイル映像が表示される。これにより、利用者は、記録処理を行った録画番組における見所の映像を効率的に再生・視聴することができる。
【００３３】
図３は、本実施形態にかかるリモコンの概観図である。リモコン８は、赤外線あるいはBluetooth（登録商標）等による無線通信を利用して、記録再生装置１の操作受信部２７へ操作信号を送る。電源ボタン５０は、記録再生装置１の電源をオンまたはオフする。具体的には、電源ボタン５０は、記録再生装置１を待機状態から動作状態、または動作状態から待機状態にするボタンである。
【００３４】
選局ボタン５１は、放送のチャンネル番号を直接選択する１から１２までの番号が振られたボタンである。チャンネル送りボタン５２は、チャンネル番号を順送りまたは逆送りで選局するボタンであり、選局ボタン５１と同様に、チャンネルを選局するときに用いられる。音量調整ボタン５３は、番組を視聴するときのスピーカの音量を調整するボタンである。
【００３５】
カーソルボタン５４は、表示装置１８の画面７に表示されたＧＵＩ画面の各種の情報ウィンドウ内のカーソルの移動や各種項目の選択ボタンの移動を行うためのボタンである。カーソルボタン５４は、十字ボタン、方向指示ボタンとも呼ばれる。左方向カーソルボタン５４ａは、カーソルを左方向に移動させるときに用いるボタンである。右方向カーソルボタン５４ｂ、上方向カーソルボタン５４ｃ、下方向カーソルボタン５４ｄでは、それぞれカーソルを右方向、上方向、下方向に移動させるときに用いる。決定ボタン５５は、カーソルボタン５４ａ〜５４ｄで移動した先の位置または画面上のボタンを実行するときに用いられる。
【００３６】
番組表ボタン５６は、番組表を画面７に表示するときに操作する専用の操作ボタンである。メニューボタン５７は、記録再生装置１に用意された各種の設定メニューを表示するときに押下するボタンである。利用者は、階層表示された複数の項目の中から目的の設定項目を、カーソルボタン５４を用いて選択する。戻るボタン５８は、一つ前の操作段階の画面へ戻るときに使うボタンである。終了ボタン５９は、一連の操作を終了するときに操作するボタンである。
【００３７】
４色の色ボタン６０は、左から青ボタン６０ａ、赤ボタン６０ｂ、緑ボタン６０ｃ、黄ボタン６０ｄの順に配置されている。画面７上に色により区別された項目や色による選択の表示があるときに使用する。記録装置操作ボタン６１は、記録再生装置１の記録装置１５に記録された番組を再生する際に、再生、停止、一時停止、早送り再生、早戻し再生、次番組スキップ、先頭戻り・前番組スキップするためのボタンである。録画再生ボタン６２は、画面７に録画番組の番組表を表示させるときに操作するボタンである。チャプター表示ボタン６３は、録画番組に登録されたチャプターを表示させるときに操作するボタンである。
【００３８】
図４は、特徴量抽出部およびチャプター登録部の機能構成を示すブロック図である。特徴量抽出部３６は、決定部３６ａ、および第１抽出部３６ｂを備えている。また、チャプター登録部３７は、第２抽出部３７ａ、画像検出部３７ｂ、および登録部３７ｃを備えている。
【００３９】
決定部３６ａは、記録処理を行う映像データの一部である所定部分を決定するものである。具体的には、決定部３６ａは、記録管理部３４によって記録装置１５に対する映像データの記録処理が行われる際に、デコード処理部１４によってデコードされた映像データおよび音声データを取得する。そして、決定部３６ａは、取得した映像データおよび音声データに対して文字解析、画像解析、音声解析等を行って、記録処理を行う映像データの一部である所定部分として、例えば、次回予告、番組冒頭のダイジェスト部分、番組案内などを決定する。
【００４０】
具体的には、決定部３６ａは、デコード処理部１４によってデコードされた映像データに対して文字解析処理を行って、次回予告に準ずる文字列（例えば、「次回予告」、「次週予告」、「来週のこの時間は」、「×月×日放送予定」、「第×話」など）を決定する。そして、決定部３６ａは、記録処理を行う映像データのうち、当該次回予告に準ずる文字列が検出された部分を次回予告（所定部分）として決定する。
【００４１】
映像データに含まれる文字列を利用して次回予告を決定する方法としては、例えば、映像に付随するクローズドキャプションと呼ばれるテキストデータを文字情報として抽出し、抽出された文字情報が表すキーワードやその意味属性、キーワードの画面７上における出現位置などから、映像データに基づいて画面７の右上や左上にテロップで表示される次回予告に準ずる文字列を検出する方法がある（特開２００９−２１２５６２号公報等参照）。映像データに含まれる文字列を利用して次回予告を検出する方法によれば、次回予告が位置する期間を予め設定しておく必要がないため、単発で放送される次回予告も所定部分として決定することができる。
【００４２】
なお、本実施形態では、映像データに対して文字解析処理を行うことにより、次回予告（所定部分）を決定する例について説明したが、これに限定するものではない。例えば、決定部３６ａは、記録処理を行う映像データのメタデータを利用して、映像データ内の本編とＣＭとを識別し、映像データの記録処理を行った番組内において最後に放送された本編を次回予告として決定しても良い。また、決定部３６ａは、記録処理を行う映像データを解析し、解析の結果得られた番組名および放送予定日時を利用して、記録処理を行う映像データから次回予告を決定しても良い（特開２０１０−１１４０３号公報、特開２００９−６０４８４号公報等参照）。さらに、決定部３６ａは、デコード処理部１４においてデコードされたメタデータから、予告属性情報および本編属性情報を抽出し、抽出した予告属性情報および本編属性情報を利用して、記録処理を行う映像データから、予告部分を決定しても良い（特開２００９−２１２５６２号公報参照）。なお、本実施形態では、記録処理を行う映像データから自動的に所定部分を決定しているが、これに限定するものではなく、記録処理を行った映像データを再生するとともに、再生中にユーザよって指定された予告開始点と予告終了点との間を予告部分（所定部分）として決定しても良い。
【００４３】
また、決定部３６ａは、記録処理を行う映像データのうち、番組の冒頭の所定時間内に放送されたダイジェスト部分を所定部分として決定する。なお、本実施形態では、記録処理を行った番組の冒頭の所定時間内に放送された部分をダイジェスト部分として決定しているが、これに限定するものではない。例えば、決定部３６ａは、デコード処理部１４によってデコードされた音声データに対して音声解析処理を行って、記録処理を行う映像データのうち、ＣＭ以外の最初の本編で流れたオープニング曲の部分をダイジェスト部分として決定しても良い。若しくは、決定部３６ａは、デコード処理部１４によってデコードされた映像データに対して画像解析処理を行って、記録処理を行う映像データのうち、映像データの記録処理を行った番組に関連する番組（例えば、番組名が同じ番組など）で毎回の放送される同一画像以外の画像が含まれる部分をダイジェスト部分として決定しても良い。
【００４４】
第１抽出部３６ｂは、決定部３６ａにより決定された所定部分に含まれるフレーム画像の画像特徴量を抽出する。本実施形態では、第１抽出部３６ｂは、デコード処理部１４によってデコードされた映像データに含まれるフレーム画像から、決定された所定部分のフレーム画像を取得する。そして、第１抽出部３６ｂは、取得したフレーム画像に対して画像解析処理を行って、取得したフレーム画像のうち、シーンチェンジ部分のフレーム画像（若しくは、所定間隔毎のフレーム画像）の画像特徴量を抽出する。画像特徴量を抽出する方法としては、例えば、画像カラーヒストグラム、ＳＩＦＴ（Scale  Invariant  Feature  Transform）特徴量、ＨＯＧ（Histograms  of  Oriented  Gradients）特徴量等といった周知の方法を適宜用いるものとする。第１抽出部３６ｂによって抽出された画像特徴量は、当該画像特徴量を抽出した番組を識別する情報（例えば、番組名など）が付加されてＲＡＭ２４に一旦格納され、その後フラッシュメモリ２６に記憶される。
【００４５】
なお、決定部３６ａにより決定された所定部分に含まれるフレーム画像のうち、所定間隔毎のフレーム画像から画像特徴量を抽出した場合、同じシーンの複数のフレーム画像から画像特徴量が抽出されてしまう場合がある。この場合、第１抽出部３６ｂは、同じシーンのフレーム画像から抽出した画像特徴量のうち一方の画像特徴量は、フラッシュメモリ２６に記憶させないものとする。
【００４６】
第２抽出部３７ａは、デコード処理部１４によりデコードされた映像データ（つまり、記録処理を行う映像データに含まれるフレーム画像）の画像特徴量を抽出する。本実施形態では、第２抽出部３７ａは、デコードされた映像データに含まれるフレーム画像に対して、所定間隔で画像特徴量の抽出を行う。なお、画像特徴量を抽出する方法は、第１抽出部３６ｂと同様の方法を用いて行うものとする。
【００４７】
画像検出部３７ｂは、第２抽出部３７ａにより画像特徴量を抽出したフレーム画像のうち、第１抽出部３６ｂにより抽出した画像特徴量と一致または近似する画像特徴量が抽出されたフレーム画像を検出する。本実施形態では、画像検出部３７ｂは、記録処理を行う映像データに含まれるフレーム画像の画像特徴量が抽出されると、フラッシュメモリ２６から、当該記録処理を行う番組の番組名と同一の番組名が付加された画像特徴量を取得する。そして、画像検出部３７ｂは、第２抽出部３７ａにより抽出した画像特徴量と取得した画像特徴量とが一致または近似するかを判断し、第２抽出部３７ａにより画像特徴量を抽出したフレーム画像のうち、取得した画像特徴量を一致または近似する画像特徴量が抽出されたフレーム画像を検出する。
【００４８】
登録部３７ｃは、画像検出部３７ｂにより検出されたフレーム画像に従って、記録処理を行う映像データのチャプターを登録する。本実施形態では、登録部３７ｃは、記録処理を行った映像データにおける画像検出部３７ｂにより検出されたフレーム画像の位置を、映像データの記憶処理を行う番組の番組名を付加してＲＡＭ２４に一旦格納し、その後フラッシュメモリ２６に記憶させることにより、記録処理を行う映像データのチャプターを登録する。ここで、フレーム画像の位置とは、例えば、記録処理を行う映像データに含まれるフレーム画像のうち、何番目に記録処理が行われたフレーム画像かを示す情報等である。
【００４９】
図５は、映像データの記録処理を行った番組に関連する番組の映像データにチャプターを登録する処理の一例を示す図である。記録管理部３４によって記録装置１５に対する番組Ａ−１の映像データの記録処理が開始されると、決定部３６ａは、映像データの記録処理が行われた番組Ａ−１から、当該番組Ａ−１の映像データに含まれるフレーム画像に対して文字解析処理を行って、次回予告に準ずる文字列を検出する。そして、決定部３６ａは、番組Ａ−１内における本編とＣＭのうち、検出した次回予告に準ずる文字列が検出されたフレーム画像を含む本編を次回予告として決定する。第１抽出部３６ｂは、検出した本編に含まれるフレーム画像（斜線で示す）のシーンチェンジ部分の画像特徴量を抽出する。
【００５０】
一方、第２抽出部３７ａは、記録管理部３４によって番組Ａ−１に関連する番組Ａ−２（例えば、連続ドラマなど）の映像データの記録処理が開始されると、デコード処理部１４によりデコードされた映像データに含まれるフレーム画像の画像特徴量を抽出する。なお、番組Ａ−１に関連する番組Ａ−２の映像データの記録処理が行われているか否かは、当該番組Ａ−１の映像データおよび番組Ａ−２の映像データに付加された番組情報（例えば、番組名など）により判断するものとする。画像検出部３７ｂは、第２抽出部３７ａにより画像特徴量をフレーム画像のうち、第１抽出部３６ｂにより抽出した画像特徴量と一致または近似する画像特徴量が抽出されたフレーム画像（斜線で示す）を検出する。そして、登録部３７ｃは、検出されたフレーム画像に従って、映像データの記録処理を行う番組Ａ−２のチャプターを登録する。
【００５１】
本実施形態では、登録部３７ｃは、番組Ａ−２の映像データにおいて当該検出されたフレーム画像の位置Ｓ１を、番組Ａ−２の映像データのチャプターとして登録する。または、登録部３７ｃは、番組Ａ−２の映像データにおいて当該検出されたフレーム画像から所定時間だけ遡ったフレーム画像の位置Ｓ２を、番組Ａ−２の映像データのチャプターとして登録しても良い。若しくは、登録部３７ｃは、番組Ａ−２の映像データおいて当該検出されたフレーム画像が含まれる番組本編の冒頭部分Ｓ３を、番組Ａ−２の映像データのチャプターとして登録しても良い。
【００５２】
図６は、映像データの記録処理を行う番組にチャプターを登録する処理の一例を示す図である。記録管理部３４によって記録装置１５に対する番組Ｂ−１の映像データの記録処理が開始されると、決定部３６ａは、記録処理を行う番組Ｂ−１の映像データから、当該番組Ｂ−１の冒頭のオープニング曲が流れている間に放送されたダイジェスト部分を決定する。第１抽出部３６ｂは、決定したダイジェスト部分に含まれるフレーム画像（斜線で示す）のシーンチェンジ部分の画像特徴量を抽出する。
【００５３】
一方、第２抽出部３７ａは、記録管理部３４によって番組Ｂ−１の映像データの記録処理が行われている間、デコード処理部１４によりデコードされた映像データに含まれるフレーム画像の画像特徴量を抽出する。画像検出部３７ｂは、第２抽出部３７ａにより画像特徴量を抽出したフレーム画像のうち、第１抽出部３６ｂにより抽出した画像特徴量と一致または近似する画像特徴量が抽出されたフレーム画像（斜線で示す）を検出する。そして、登録部３７ｃは、検出されたフレーム画像に従って、記録処理を行う番組Ｂ−１の映像データのチャプターを登録する。
【００５４】
本実施形態では、登録部３７ｃは、番組Ｂ−１の映像データにおいて当該検出されたフレーム画像の位置Ｓ１を、番組Ｂ−１の映像データのチャプターとして登録する。または、登録部３７ｃは、番組Ｂ−１の映像データにおいて当該検出されたフレーム画像から所定時間だけ遡ったフレーム画像の位置Ｓ２を、番組Ｂ−１の映像データのチャプターとして登録しても良い。若しくは、登録部３７ｃは、番組Ｂ−１の映像データおいて当該検出されたフレーム画像が含まれる本編の冒頭部分Ｓ３を、番組Ｂ−１の映像データのチャプターとして登録しても良い。
【００５５】
図７は、画像特徴量の抽出処理の動作手順の例を示したフローチャートである。復調器１３によって放送ストリームからＭＰＥＧ映像ストリームが分離され（ステップＳ７０１）、デコード処理部１４によって一定間隔のフレーム画像が復号化される（ステップＳ７０２）。
【００５６】
記録管理部３４は、復号化された連続するフレーム画像を含む映像データの記録装置１５への記録処理を行う（ステップＳ７０３）。記録管理部３４によって記録処理が行われると、決定部３６ａは、記録処理が行われた映像データから、当該映像データの一部である所定部分を検出する（ステップＳ７０４）。次いで、第１抽出部３６ｂは、決定された所定部分に含まれるフレーム画像の画像特徴量を抽出し、抽出した画像特徴量を、フラッシュメモリ２６に記憶させる（ステップＳ７０５）。特徴量抽出部３６は、記録処理を行う映像データ内に所定部分が複数含まれる場合には、ステップＳ７０１に戻って番組の記録処理が終了するまで繰り返す（ステップＳ７０６：Ｎｏ）。
【００５７】
図８は、チャプターの登録処理の動作手順の例を示したフローチャートである。第２抽出部３７ａは、記録処理が行われた映像データに含まれるフレーム画像から画像特徴量を抽出する（ステップＳ８０１）。次いで、画像検出部３７ｂは、第２抽出部３７ａにより画像特徴量を抽出したフレーム画像のうち、第１抽出部３６ｂによって抽出した画像特徴量と一致または近似する画像特徴量が抽出されたフレーム画像を検出する（ステップＳ８０２）。そして、登録部３７ｃは、検出されたフレーム画像に従って、記録処理を行う映像データのチャプターを登録する（ステップＳ８０３）。次いで、チャプター登録部３７は、ステップＳ８０１に戻って番組の記録処理が終了するまで繰り返す（ステップＳ８０４：Ｎｏ）。
【００５８】
このように本実施形態にかかる記録再生装置１によれば、記録管理部３４により記録処理を行う映像データの一部である所定部分を決定し、決定した所定部分に含まれるフレーム画像の画像特徴量を抽出し、記録管理部３４により記録処理を行う映像データに含まれるフレーム画像の画像特徴量を抽出し、画像特徴量を抽出した画像のうち、フラッシュメモリ２６に記憶した画像特徴量と一致または近似する画像特徴量が抽出されたフレーム画像を検出し、当該検出したフレーム画像に従って、記録処理を行う映像データのチャプターを登録することにより、番組の次回予告や番組冒頭ダイジェスト等の所定部分を利用して、番組の記録時に自動的にチャプターを登録することができるので、ユーザの手を煩わすことなく、番組提供者側の意図した番組の見所でチャプターを登録することができる。
【００５９】
なお、本実施形態の記録再生装置で実行されるプログラムは、ＲＯＭ等に予め組み込まれて提供されるが、これに限定するものではなく、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６０】
さらに、本実施形態の記録再生装置で実行されるプログラムを、インターネット等のネットワークに接続されたコンピュータ上に格納し、ネットワーク経由でダウンロードさせることにより提供するように構成しても良い。また、本実施形態の記録再生装置で実行されるプログラムをインターネット等のネットワーク経由で提供または配布するように構成しても良い。
【００６１】
本実施形態の記録再生装置で実行されるプログラムは、上述した各部（記録管理部、ＧＵＩ制御部、特徴量抽出部、チャプター登録部など）を含むモジュール構成となっており、実際のハードウェアとしてはＭＰＵ（プロセッサ）が上記ＲＯＭからプログラムを読み出して実行することにより上記各部が主記憶装置上にロードされ、記録管理部、ＧＵＩ制御部、特徴量抽出部、チャプター登録部などが主記憶装置上に生成されるようになっている。
【００６２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６３】
１…記録再生装置、３４…記録管理部、３６…特徴量抽出部、３７…チャプター登録部、３６ａ…決定部、３６ｂ…第１抽出部、３７ａ…第２抽出部、３７ｂ…画像検出部、３７ｃ…登録部。
【図１】
2013132025.tif 000003
【図２】
2013132025.tif 000004
【図３】
2013132025.tif 000005
【図４】
2013132025.tif 000006
【図５】
2013132025.tif 000007
【図６】
2013132025.tif 000008
【図７】
2013132025.tif 000009
【図８】
2013132025.tif 000010